(57)【要約】【課題】本発明は、複数の通信種別で送信可能な宛先への宛先種別を適切に決定して送信する通信装置、通信制御方法、通信制御プログラム及び記録媒体に関する。【解決手段】複合装置１は、送信宛先の通信種別に対応する宛先種別への所定期間内の通信回数を送信回数／宛先種別記憶部１０に登録し、データ送信の送信宛先に対して送信回数／宛先種別記憶部１０に登録されている宛先種別のうち最も通信回数の多い宛先種別を選択してデータ送信する。【選択図】          図１
2010068255.tif 000002
【特許請求の範囲】
【請求項１】
複数の通信種別を用いてデータを送信宛先の該通信種別に対応する宛先種別に送信する送信手段と、複数の送信宛先に対して通信種別毎に異なる宛先種別を登録可能な宛先種別記憶手段と、送信宛先毎に該送信宛先の宛先種別への所定期間内の通信回数を該宛先種別記憶手段に登録する宛先種別登録手段と、データ送信の送信宛先に対して該宛先種別記憶手段に登録されている宛先種別のうち最も通信回数の多い宛先種別を選択して該送信手段に送信させる制御手段と、を備えていることを特徴とする通信装置。
【請求項２】
複数の通信種別を用いてデータを送信宛先の該通信種別に対応する宛先種別に送信する送信手段と、複数の送信宛先に対して通信種別毎に異なる宛先種別と該送信宛先に対する該宛先種別の優先度を登録可能な宛先種別記憶手段と、送信宛先毎に該送信宛先における宛先種別の優先度を該宛先種別記憶手段に登録する宛先種別登録手段と、データ送信の送信宛先に対して該宛先種別記憶手段に登録されている宛先種別のうち最も優先度の高い宛先種別を選択して該送信手段に送信させる制御手段と、を備えていることを特徴とする通信装置。
【請求項３】
複数の通信種別を用いてデータを送信宛先の該通信種別に対応する宛先種別に送信する送信手段と、複数の送信宛先に対して通信種別毎に異なる宛先種別と送信宛先毎に該送信宛先への送信における宛先種別を登録可能な宛先種別記憶手段と、送信宛先毎に該送信宛先への送信における宛先種別を該宛先種別記憶手段に登録する宛先種別登録手段と、データの送信宛先に対して該宛先種別記憶手段に登録されている前回送信時の宛先種別を選択して該送信手段に送信させる制御手段と、を備えていることを特徴とする通信装置。
【請求項４】
前記宛先種別登録手段は、送信者毎の各送信宛先の宛先種別への所定期間内の通信回数、送信者毎の各送信宛先における宛先種別の優先度、または、送信者毎の各送信宛先への送信における宛先種別を前記宛先種別記憶手段に登録し、前記制御手段は、送信者を特定したデータ送信の送信宛先に対して該宛先種別登録手段に登録されている宛先種別のうち該送信者に対して登録されている宛先種別を選択することを特徴とする請求項１から請求項３のいずれかに記載の通信装置。
【請求項５】
複数の通信種別を用いてデータを送信宛先の該通信種別に対応する宛先種別に送信する送信処理ステップと、複数の送信宛先に対して通信種別毎に異なる宛先種別を登録可能な宛先種別記憶手段に、送信宛先の宛先種別への所定期間内の通信回数を登録する宛先種別登録処理ステップと、データ送信の送信宛先に対して該宛先種別記憶手段に登録されている宛先種別のうち最も通信回数の多い宛先種別を選択して該送信処理ステップで送信させる制御処理ステップと、を有していることを特徴とする通信制御方法。
【請求項６】
複数の通信種別を用いてデータを送信宛先の該通信種別に対応する宛先種別に送信する送信処理ステップと、複数の送信宛先に対して通信種別毎に異なる宛先種別と該送信宛先に対する該宛先種別の優先度を登録可能な宛先種別記憶手段に、送信宛先毎に該送信宛先における宛先種別の優先度を登録する宛先種別登録処理ステップと、データ送信の送信宛先に対して該宛先種別記憶手段に登録されている宛先種別のうち最も優先度の高い宛先種別を選択して該送信処理ステップで送信させる制御処理ステップと、を有していることを特徴とする通信制御方法。
【請求項７】
複数の通信種別を用いてデータを送信宛先の該通信種別に対応する宛先種別に送信する送信処理ステップと、複数の送信宛先に対して通信種別毎に異なる宛先種別と送信宛先毎に該送信宛先への送信における宛先種別を登録可能な宛先種別記憶手段に、送信宛先毎に該送信宛先への送信における宛先種別を登録する宛先種別登録処理ステップと、データ送信の送信宛先に対して該宛先種別記憶手段に登録されている前回送信時の宛先種別を選択して該送信手段に送信させる制御処理ステップと、を有していることを特徴とする通信制御方法。
【請求項８】
コンピュータに、複数の通信種別を用いてデータを送信宛先の該通信種別に対応する宛先種別に送信する送信処理と、複数の送信宛先に対して通信種別毎に異なる宛先種別を登録可能な宛先種別記憶手段に、送信宛先の宛先種別への所定期間内の通信回数を登録する宛先種別登録処理と、データ送信の送信宛先に対して該宛先種別記憶手段に登録されている宛先種別のうち最も通信回数の多い宛先種別を選択して該送信処理で送信させる制御処理と、を実行させることを特徴とする通信制御プログラム。
【請求項９】
コンピュータに、複数の通信種別を用いてデータを送信宛先の該通信種別に対応する宛先種別に送信する送信処理と、複数の送信宛先に対して通信種別毎に異なる宛先種別と該送信宛先に対する該宛先種別の優先度を登録可能な宛先種別記憶手段に、送信宛先毎に該送信宛先における宛先種別の優先度を登録する宛先種別登録処理と、データ送信の送信宛先に対して該宛先種別記憶手段に登録されている宛先種別のうち最も優先度の高い宛先種別を選択して該送信処理で送信させる制御処理と、を実行させることを特徴とする通信制御プログラム。
【請求項１０】
複数の通信種別を用いてデータを送信宛先の該通信種別に対応する宛先種別に送信する送信処理と、複数の送信宛先に対して通信種別毎に異なる宛先種別と送信宛先毎に該送信宛先への送信における宛先種別を登録可能な宛先種別記憶手段に、送信宛先毎に該送信宛先への送信における宛先種別を登録する宛先種別登録処理と、データ送信の送信宛先に対して該宛先種別記憶手段に登録されている前回送信時の宛先種別を選択して該送信手段に送信させる制御処理と、を実行させることを特徴とする通信制御プログラム。
【請求項１１】
請求項８から請求項１０のいずれかに記載の通信制御プログラムを記録したことを特徴とするコンピュータが読み取り可能な記録媒体。
【発明の詳細な説明】
【技術分野】
【０００１】
本発明は、通信装置、通信制御方法、通信制御プログラム及び記録媒体に関し、詳細には、複数の通信種別で送信可能な宛先への宛先種別を適切に決定して送信する通信装置、通信制御方法、通信制御プログラム及び記録媒体に関する。
【背景技術】
【０００２】
近年、ネットワーク化が進むのに伴って、ファクシミリ装置、複合装置、コンピュータ等の通信装置においては、スキャナで読み取った原稿の画像データ、アプリケーションで作成された文書データ、他の装置から受信した文書データ等をネットワークを介して他の通信装置のフォルダに送信したり、メールに添付して送信したり、ファクシミリ通信手順に従ってファクシミリ送信すること等の各種通信方式（通信種別）を使用して該通信種別に応じた宛先種別にデータ送信することが行われるようになってきている。
【０００３】
また、送信側の通信装置が複数の通信方式で送信する通信機能を有し、受信側の通信装置が複数の通信方式で受信する機能を有している場合、送信側の通信装置において、送信毎に、いちいち通信方式を選択して、該通信方式に応じた送信設定を行うことは、操作性が悪い。
【０００４】
そこで、従来、送信先ユーザ毎に配信に用いた送信方法の実績送信回数をカウントして、送信時に該送信先ユーザに対してカウント数の多い送信方法を選択して設定する技術が提案されている（特許文献１参照）。
【０００５】
【特許文献１】特開２００５−１２４１４号公報
【発明の開示】
【発明が解決しようとする課題】
【０００６】
しかしながら、上記従来技術にあっては、実績送信回数のみに基づいて送信方法を選択しているため、送信の確実性と速やかな送信を確保することはできるが、送信元のユーザが意図する送信方式をより確実に選択して送信するとともに、送信操作の手間をより一層削減して利用性を向上させる上で、改良の必要があった。
【０００７】
そこで、本発明は、複数の通信種別に対応する複数の宛先種別を備えている送信宛先に対して、送信元の意図する宛先種別にデータ送信を行う通信装置、通信制御方法、通信制御プログラム及び記録媒体を提供することを目的としている。
【課題を解決するための手段】
【０００８】
本発明は、上記目的を達成するために、送信宛先の通信種別に対応する宛先種別への所定期間内の通信回数を宛先種別記憶手段に登録し、データ送信の送信宛先に対して該宛先種別記憶手段に登録されている宛先種別のうち最も通信回数の多い宛先種別を選択して送信することを特徴としている。
【０００９】
また、本発明は、上記目的を達成するために、送信宛先毎に該送信宛先における宛先種別の優先度を宛先種別記憶手段に登録し、データ送信の送信宛先に対して該宛先種別記憶手段に登録されている宛先種別のうち最も優先度の高い宛先種別を選択して送信することを特徴としている。
【００１０】
さらに、本発明は、上記目的を達成するために、送信宛先毎に該送信宛先への送信における宛先種別を宛先種別記憶手段に登録し、データ送信の送信宛先に対して該宛先種別記憶手段に登録されている前回送信時の宛先種別を選択して送信することを特徴としている。
【００１１】
本発明は、上記各宛先種別の選択を送信者毎に行って送信することを特徴としてもよい。
【発明の効果】
【００１２】
本発明によれば、複数の宛先種別を備えている送信宛先に対して、送信元の意図する宛先種別にデータ送信を行うことができる。
【発明を実施するための最良の形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図５は、本発明の通信装置、通信制御方法、通信制御プログラム及び記録媒体の第１実施例を示す図であり、図１は、本発明の通信装置、通信制御方法、通信制御プログラム及び記録媒体の第１実施例を適用した複合装置１のブロック構成図である。
【００１５】
図１において、複合装置１は、システム制御部２、操作表示部３、符号化・復号化部４、プロッタ５、スキャナ６、ネットワーク制御部７、網制御部８、モデム９及び送信回数／宛先種別記憶部１０等を備えており、各部は、システムバス１１に接続されている。
【００１６】
システム制御部（制御手段、宛先種別登録手段）２は、ＣＰＵ（Central Processing Unit ）、ＲＯＭ（Read Only Memory）及びＲＡＭ（Random Access Memory）等を備えたマイクロコンピュータ等が用いられ、ＲＯＭまたは図示しないハードディスク内に基本プログラムや本発明の通信制御方法を実行する通信制御プログラム及び必要なデータを格納している。システム制御部２は、そのＣＰＵがＲＯＭ等内のプログラムに基づいてＲＡＭをワークメモリとして利用して複合装置１の各部を制御して、複合装置１としての基本処理を実行するとともに、後述する宛先種別を適宜選択して送信する通信制御方法を実行する。
【００１７】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の通信制御方法を実行する通信制御プログラムを読み込んでシステム制御部２のＲＯＭやハードディスク等に導入することで、後述する宛先種別を適宜選択して送信する通信制御方法を実行する通信装置としての複合装置１として構築されている。この通信制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００１８】
操作表示部３には、図示しない表示部及び操作部が接続されており、操作部は、テンキー、スタートキー、ファンクションキー、ワンタッチダイヤルキー及び短縮ダイヤルキー等の複合装置１の操作に必要な各種操作キーが設けられ、また、表示部は、例えば、液晶ディスプレイ等が用いられていて、システム制御部２とデータ交換を行って、操作部から入力された命令内容や複合装置１からオペレータに通知する各種情報を表示する。操作表示部３は、システム制御部２との間で各種データの交換を行い、操作部での操作キーの操作内容をシステム制御部２に通知し、システム制御部２から表示データを受け取って表示部に表示させる。
【００１９】
符号化・復号化部４は、画像データの図示しない画像メモリへの蓄積の効率化及び伝送時間の短縮化を図るためのものであり、所定の符号化方式、例えば、ＭＨ（Modified Huffman）符号化方式で画像データを符号化し、また、符号化された画像データを復号化する。
【００２０】
プロッタ５は、例えば、電子写真方式、インク噴射方式等の印刷方式で、画像を用紙に印刷出力する。
【００２１】
スキャナ６は、例えば、ＣＣＤ（Charge Coupled Device）を利用したイメージスキャナが用いられており、システム制御部２の制御下で、原稿を走査して原稿の画像を所定の解像度で読み取って、図示しない画像メモリに転送する。
【００２２】
ネットワーク制御部７には、所定のネットワーク、例えば、ＬＡＮ（Local Area Network）、インターネット等が接続されており、ネットワークには、パーソナルコンピュータ等の情報処理装置やデータサーバ等が接続されている。ネットワーク制御部７は、ネットワークを介して情報処理装置やデータ等から送信されてきた圧縮された画像データを複合装置１で処理可能な画像データに変換し、また、画像メモリ内の画像データを該情報処理装置等に転送する際に、該画像データを該情報処理装置等で処理可能な画像データに変換して、該情報処理装置等に送信する。また、ネットワーク制御部７は、ネットワークを介して電子メールを送受信するための電子メール機能を備えており、システム制御部２の制御下で、電子メールを送受信する。
【００２３】
網制御部８には、公衆回線網（ＰＳＴＮ）等のファクシミリ通信を行う通信回線が接続されており、網制御部８は、システム制御部２の制御下で動作して、通信回線からの発呼に対して自動着呼し、また、公衆回線網への自動発呼処理を行う。また、網制御部８には、電話機１２が接続されており、網制御部８は、電話機１２を使用した相手先との間での通話を可能とする。
【００２４】
モデム９は、網制御部８と接続されており、画像データを変調して送信するとともに、伝送制御手順信号をやりとりしてファクシミリ通信機能を実現する。
【００２５】
上記ネットワーク制御部７、網制御部８及びモデム９は、複数の通信種別を用いて送信宛先の宛先種別にデータ送信する送信手段として機能している。
【００２６】
送信回数／宛先種別記憶部（宛先種別記憶手段）１０は、通信相手先の装置（以下、宛先という。）を識別するための宛先識別情報（宛先名、宛先ＩＤ等）、宛先種別（ファクシミリ、電子メール、フォルダ等）、各宛先における宛先種別毎の所定期間内の送信回数情報や前回送信した宛先種別等の宛先種別情報をシステム制御部２の制御下で記憶する。
【００２７】
次に、本実施例の作用を説明する。本実施例の複合装置１は、複数の宛先種別を備えている宛先への送信に際して所定期間の過去の送信回数の最も多い宛先種別を送信先として選択して送信する。
【００２８】
すなわち、複合装置１は、ネットワーク制御部７及び網制御部８とモデム９を利用して、複数の通信方式（通信種別）で通信する機能を備えており、例えば、ネットワーク制御部７によって相手先のフォルダにデータを送信するフォルダデータ通信、ネットワーク制御部７によって相手先にデータを電子メールで送信するメール通信、網制御部８及びモデム９によってデータをファクシミリ送信するファクシミリ通信機能を備えている。また、送信相手先の装置（宛先）は、フォルダにデータを受信するデータ通信、電子メールによってデータを受信するメール受信、ファクシミリ通信によってデータを受信するファクシミリ受信等の複数の通信種別と該通信種別に対応する宛先種別を備えている装置がある。
【００２９】
そこで、複合装置１は、システム制御部２が、各宛先毎に、過去に送信した送信履歴情報として、その送信宛先を識別するための宛先識別情報、該送信宛先の通信種別毎の宛先種別等を登録宛先として送信回数／宛先記憶部１０に記憶するとともに、各送信宛先における宛先種別毎の過去所定期間の送信回数を、送信毎に、送信回数／宛先種別記憶部１０に記憶させる。すなわち、送信回数／宛先種別記憶部１０は、各宛先における宛先種別毎の送信回数カウンタを有し、システム制御部２が、送信宛先の宛先種別に送信すると、該送信宛先における宛先種別の送信回数カウンタをカウントアップする。
【００３０】
このように送信回数／宛先種別記憶部１０に必要な情報が記憶されている状態で、操作表示部３において、送信モードが指定されて送信宛先が指定されると、システム制御部２は、図２に示す過去送信回数に基づく宛先種別選択送信制御処理を実行する。すなわち、システム制御部２は、送信モードが指定されて送信宛先が指定されると、図２に示すように、該送信宛先が予め送信回数／宛先種別記憶部１０に登録されている登録宛先であるかチェックし（ステップＳ１０１）、登録宛先であると、該送信宛先に対して、送信回数／宛先種別記憶部１０に、複数の宛先種別が登録されているかチェックする（ステップＳ１０２）。なお、ステップＳ１０１で、送信宛先が登録宛先でないときには、システム制御部２は、宛先種別の自動選択を行えないと判断して、通常の送信者による操作表示部３を利用した宛先種別の選択を伴う送信処理を行う。
【００３１】
ステップＳ１０２で、該送信宛先に対して複数の宛先種別が登録されていないときには、システム制御部２は、該送信宛先に対して登録されている宛先種別（例えば、ファクシミリ送信先）を送信先として指定して、該宛先種別にデータを送信する送信処理を行う（ステップＳ１０３）。ステップＳ１０２で、該送信宛先に対して複数の宛先種別が登録されているときには、送信回数／宛先種別記憶部１０の該送信宛先の宛先種別に対する送信回数カウンタを参照して、過去一定期間内に送信回数の最も多い宛先種別（例えば、フォルダ送信）を送信先として指定して、該送信先にデータを送信する送信処理を行う（ステップＳ１０４）。
【００３２】
そして、システム制御部２は、図３に示すように、送信回数／宛先種別記憶部１０の該送信宛先の宛先種別に対する送信回数カウンタの更新処理を行う。すなわち、システム制御部２は、送信宛先の宛先種別に対して送信を行うと（ステップＳ２０１）、該送信宛先の宛先種別に対する送信カウンタをカウントアップする（ステップＳ２０２）。例えば、システム制御部２は、該送信宛先に対してファクシミリ送信を行ったときには、宛先種別カウンタとしてのファクシミリ送信カウンタを「１」だけカウントアップし、電子メール送信を行ったときには、宛先種別カウンタとしてのメール送信カウンタを「１」だけカウントアップする。また、システム制御部２は、該送信宛先に対して、フォルダ送信を行ったときには、宛先種別としてのフォルダ送信カウンタを「１」だけカウントアップする。
【００３３】
そして、システム制御部２は、送信回数／宛先種別記憶部１０の該送信宛先の宛先種別に対する送信回数カウンタのうち、過去一定期間より前にカウントされた送信回数をクリアして送信回数カウンタ更新処理を終了する（ステップＳ２０３）。
【００３４】
このように、本実施例の複合装置１は、送信宛先の通信種別に対応する宛先種別への所定期間内の通信回数を送信回数／宛先種別記憶部１０に登録し、データ送信の送信宛先に対して送信回数／宛先種別記憶部１０に登録されている宛先種別のうち最も通信回数の多い宛先種別を選択して送信している。
【００３５】
したがって、複数の宛先種別を備えている送信宛先に対して、送信元がよく送信している宛先種別を送信先として自動的に選択することができ、宛先種別の選択や送信時の設定の手間を省いて、送信元の意図する宛先種別に簡単かつ容易にデータ送信を行って、利用性を向上させることができる。
【００３６】
なお、上記処理では、宛先毎に宛先種別の送信カウンタを用意して、該送信カウンタに基づいて宛先種別を選択しているが、この宛先毎の送信カウンタを送信者毎に用意して、図４に示すように、送信する送信者によって宛先種別を選択する送信者毎過去送信回数に基づく宛先種別選択送信制御処理を行ってもよい。
【００３７】
すなわち、システム制御部２は、送信者が送信者を特定する情報、例えば、送信者ＩＤ等の入力を伴った送信の指定を行い、送信宛先を指定すると、図４に示すように、該送信宛先が予め送信回数／宛先種別記憶部１０に登録されている登録宛先であるかチェックし（ステップＳ３０１）、登録宛先であると、該宛先に対して、送信回数／宛先種別記憶部１０に、複数の宛先種別が登録されているかチェックする（ステップＳ３０２）。なお、ステップＳ３０１で、送信宛先が登録宛先でないときには、システム制御部２は、宛先種別の自動選択を行えないと判断して、通常の送信者による操作表示部３を利用した宛先種別の選択を伴う送信処理を行う。
【００３８】
ステップＳ３０２で、該送信宛先に対して複数の宛先種別が登録されていないときには、システム制御部２は、該送信宛先に対して登録されている宛先種別を送信先として指定して、該宛先種別にデータを送信する送信処理を行う（ステップＳ３０３）。ステップＳ３０２で、該送信宛先に対して複数の宛先種別が登録されているときには、送信回数／宛先種別記憶部１０の該送信者の該送信宛先の宛先種別に対する送信回数カウンタを参照して、過去一定期間内に送信回数の最も多い宛先種別を送信先として指定して、該送信先にデータを送信する送信処理を行う（ステップＳ３０４）。
【００３９】
そして、システム制御部２は、図５に示すように、送信回数／宛先種別記憶部１０に登録されている該送信者毎の送信宛先の宛先種別に対する送信回数カウンタの更新処理を行う。すなわち、システム制御部２は、送信者によって指定された宛先種別への送信を行うと（ステップＳ４０１）、該送信者の送信宛先の宛先種別に対する送信カウンタをカウントアップする（ステップＳ４０２）。例えば、システム制御部２は、送信者による送信者特定情報の入力を伴う送信要求に応じて、該送信宛先に対してファクシミリ送信を行うと、該送信者の該送信宛先の宛先種別カウンタであるファクシミリ送信カウンタを「１」だけカウントアップし、電子メール送信を行ったときには、該送信者の該送信宛先の宛先種別カウンタであるメール送信カウンタを「１」だけカウントアップする。また、システム制御部２は、送信者による送信者特定情報の入力を伴う送信要求に応じて、該送信宛先に対して、フォルダ送信を行ったときには、該送信者の該送信宛先の宛先種別カウンタであるフォルダ送信カウンタを「１」だけカウントアップする。
【００４０】
そして、システム制御部２は、送信回数／宛先種別記憶部１０の該送信者の該送信宛先の宛先種別に対する送信回数カウンタのうち、過去一定期間より前にカウントされた送信回数をクリアして送信回数カウンタ更新処理を終了する（ステップＳ４０３）。
【００４１】
このようにすると、複数の宛先種別を備えている送信宛先に対して、送信元の送信者がよく利用して送信宛先の宛先種別として送信したい宛先種別を自動的に選択することができ、送信者の意図する宛先種別に簡単かつ容易にデータ送信を行って、利用性を向上させることができる。
【実施例２】
【００４２】
図６は、本発明の本発明の通信装置、通信制御方法、通信制御プログラム及び記録媒体の第２実施例を適用した複合装置による優先度に基づく宛先種別選択送信制御処理を示すフローチャートである。
【００４３】
なお、本実施例は、上記第１実施例の複合装置１と同様の複合装置に適用したものであり、本実施例の説明においては、必要に応じて、上記第１実施例の説明で用いた符号をそのまま用いて説明する。
【００４４】
本実施例の複合装置１は、送信宛先毎に設定されている宛先種別の優先度に基づいて宛先種別を選択してデータ送信する。
【００４５】
そこで、本実施例の複合装置１は、送信宛先毎に宛先種別の優先度を操作表示部３の操作によって指定することができ、システム制御部２は、該操作表示部３の操作によって指定された宛先毎の宛先種別の優先度情報を、送信回数／宛先種別記憶部１０に登録する。複合装置１では、宛先種別毎に段階的に優先度を設定することもでき、優先度順に送信可能な宛先種別を優先度情報として送信回数／宛先種別記憶部１０に登録するようにしてもよい。
【００４６】
このように送信回数／宛先種別記憶部１０に送信宛先毎の宛先種別の優先度情報が登録されている状態で、操作表示部３において、送信モードが指定されて送信宛先が指定されると、システム制御部２は、図６に示す優先度に基づく宛先種別選択送信制御処理を実行する。すなわち、システム制御部２は、送信モードが指定されて送信宛先が指定されると、図６に示すように、該送信宛先が予め送信回数／宛先種別記憶部１０に登録されている登録宛先であるかチェックし（ステップＳ５０１）、登録宛先であると、該宛先に対して、送信回数／宛先種別記憶部１０に、複数の宛先種別が登録されているかチェックする（ステップＳ５０２）。なお、ステップＳ５０１で、送信宛先が登録宛先でないときには、システム制御部２は、宛先種別の自動選択を行えないと判断して、通常の送信者による操作表示部３を利用した宛先種別の選択を伴う送信処理を行う。
【００４７】
ステップＳ５０２で、該送信宛先に対して複数の宛先種別が登録されていないときには、システム制御部２は、該送信宛先に対して登録されている宛先種別（例えば、ファクシミリ送信先）を送信先として指定して、該宛先種別にデータを送信する送信処理を行う（ステップＳ５０３）。ステップＳ５０２で、該送信宛先に対して複数の宛先種別が登録されているときには、送信回数／宛先種別記憶部１０の該送信宛先に対して登録されている優先宛先種別情報を参照して、最も優先度の高い宛先種別（例えば、フォルダ送信）を送信先として指定して、該送信先にデータを送信する送信処理を行う（ステップＳ５０４）。この場合、選択した宛先種別が他の通信等でふさがって利用できないときには、次に優先度の高い宛先種別を選択して送信してもよい。
【００４８】
このように、本実施例の複合装置１は、送信宛先毎に該送信宛先における宛先種別の優先度を送信回数／宛先種別記憶部１０に登録し、データ送信の送信宛先に対して該送信回数／宛先種別記憶部１０に登録されている宛先種別のうち最も優先度の高い宛先種別を選択して送信している。
【００４９】
したがって、複数の宛先種別を備えている送信宛先に対して、予め送信宛先毎に該送信宛先に対して優先的に送信したい宛先種別として登録した宛先種別を優先させて送信することができ、宛先種別の選択や送信時の設定の手間を省いて、送信元の意図する宛先種別に簡単かつ容易にデータ送信を行って、利用性を向上させることができる。
【００５０】
なお、上記処理では、送信宛先毎に設定された宛先種別の優先度に基づいて宛先種別を選択しているが、この送信宛先毎の宛先種別の優先度を送信者毎に設定可能として、図７に示すように、送信する送信者に対して送信回数／宛先種別記憶部１０に設定登録されている優先度に基づいて宛先種別を選択する送信者毎の優先度に基づく宛先種別選択送信制御処理を行ってもよい。
【００５１】
すなわち、システム制御部２は、送信者が送信者を特定する情報、例えば、送信者ＩＤ等の入力を伴った送信の指定を行い、送信宛先を指定すると、図７に示すように、該送信宛先が予め送信回数／宛先種別記憶部１０に登録されている登録宛先であるかチェックし（ステップＳ６０１）、登録宛先であると、該宛先に対して、送信回数／宛先種別記憶部１０に、複数の宛先種別が登録されているかチェックする（ステップＳ６０２）。なお、ステップＳ６０１で、送信宛先が登録宛先でないときには、システム制御部２は、宛先種別の自動選択を行えないと判断して、通常の送信者による操作表示部３を利用した宛先種別の選択を伴う送信処理を行う。
【００５２】
ステップＳ６０２で、該送信宛先に対して複数の宛先種別が登録されていないときには、システム制御部２は、該送信宛先に対して登録されている宛先種別を送信先として指定して、該宛先種別にデータを送信する送信処理を行う（ステップＳ６０３）。ステップＳ６０２で、該送信宛先に対して複数の宛先種別が登録されているときには、送信回数／宛先種別記憶部１０の該送信者の該送信宛先に対して登録されている優先宛先種別情報を参照して、最も優先度の高い宛先種別を送信先として指定して、該送信先にデータを送信する送信処理を行う（ステップＳ６０４）。この場合、選択した宛先種別が他の通信等でふさがって利用できないときには、次に優先度の高い宛先種別を選択して送信してもよい。
【００５３】
このようにすると、複数の宛先種別を備えている送信宛先に対して、送信元の送信者が設定した優先度に基づいて送信者毎に宛先種別を自動的に選択することができ、送信者の意図する宛先種別に簡単かつ容易にデータ送信を行って、利用性を向上させることができる。
【実施例３】
【００５４】
図８〜図１１は、本発明の本発明の通信装置、通信制御方法、通信制御プログラム及び記録媒体の第３実施例を適用した複合装置による前回送信の宛先種別に基づく宛先種別選択送信制御処理を示すフローチャートである。
【００５５】
なお、本実施例は、上記第１実施例の複合装置１と同様の複合装置に適用したものであり、本実施例の説明においては、必要に応じて、上記第１実施例の説明で用いた符号をそのまま用いて説明する。
【００５６】
本実施例の複合装置１は、送信宛先毎に前回送信の宛先種別に基づいて、今回送信する宛先種別の選択を行って送信処理を行う。
【００５７】
そこで、本実施例の複合装置１は、送信回数／宛先種別記憶部１０に、宛先毎に前回送信時の宛先種別を記憶して、次回の該送信宛先への送信における宛先種別の選択に用いる。
【００５８】
このように送信回数／宛先種別記憶部１０に前回送信時の宛先種別を送信宛先毎に登録されている状態で、操作表示部３において、送信モードが指定されて送信宛先が指定されると、システム制御部２は、図８に示す前回送信宛先種別に基づく宛先種別選択送信制御処理を実行する。すなわち、システム制御部２は、送信モードが指定されて送信宛先が指定されると、図８に示すように、該送信宛先が予め送信回数／宛先種別記憶部１０に登録されている登録宛先であるかチェックし（ステップＳ７０１）、登録宛先であると、該宛先に対して、送信回数／宛先種別記憶部１０に、複数の宛先種別が登録されているかチェックする（ステップＳ７０２）。なお、ステップＳ７０１で、送信宛先が登録宛先でないときには、システム制御部２は、宛先種別の自動選択を行えないと判断して、通常の送信者による操作表示部３を利用した宛先種別の選択を伴う送信処理を行う。
【００５９】
ステップＳ７０２で、該送信宛先に対して複数の宛先種別が登録されていないときには、システム制御部２は、該送信宛先に対して登録されている宛先種別（例えば、ファクシミリ送信先）を送信先として指定して、該宛先種別にデータを送信する送信処理を行う（ステップＳ７０３）。ステップＳ７０２で、該送信宛先に対して複数の宛先種別が登録されているときには、送信回数／宛先種別記憶部１０の該送信宛先に対して登録されている前回送信時の宛先種別情報を参照して、前回送信時の宛先種別（例えば、フォルダ送信）を送信先として指定して、該送信先にデータを送信する送信処理を行う（ステップＳ７０４）。
【００６０】
そして、システム制御部２は、図９に示すように、送信回数／宛先種別記憶部１０の該送信宛先に対する宛先種別登録処理を行う。すなわち、システム制御部２は、送信宛先の宛先種別に対して送信を行うと（ステップＳ８０１）、該送信宛先に対する宛先種別を登録する（ステップＳ８０２）。例えば、システム制御部２は、該送信宛先に対してファクシミリ送信を行ったときには、宛先種別としてファクシミリ送信を登録し、電子メール送信を行ったときには、宛先種別としてメール送信を登録する。また、システム制御部２は、該送信宛先に対して、フォルダ送信を行ったときには、宛先種別としてフォルダ送信を登録する。
【００６１】
このように、本実施例の複合装置１は、送信宛先毎に該送信宛先への送信における宛先種別を送信回数／宛先種別記憶部１０に登録し、データ送信の送信宛先に対して該送信回数／宛先種別記憶部１０に登録されている前回送信時の宛先種別を選択して送信する。
【００６２】
したがって、複数の宛先種別を備えている送信宛先に対して、送信元がよく利用して送信宛先の宛先種別として前回送信した宛先種別を自動的に選択することができ、宛先種別の選択や送信時の設定の手間を省いて、送信元の意図する宛先種別に簡単かつ容易にデータ送信を行って、利用性を向上させることができる。
【００６３】
なお、上記処理では、宛先毎に前回送信の宛先種別を登録して次回の送信時の宛先種別の選択を行っているが、この宛先毎の送信における宛先種別の登録を、送信者毎に行って、図１０に示すように、送信者毎に前回送信の宛先種別に基づいて宛先種別を選択する送信者毎の前回送信の宛先種別に基づく宛先種別選択送信制御処理を行ってもよい。
【００６４】
すなわち、システム制御部２は、送信者が送信者を特定する情報、例えば、送信者ＩＤ等の入力を伴った送信の指定を行い、送信宛先を指定すると、図１０に示すように、該送信宛先が予め送信回数／宛先種別記憶部１０に登録されている登録宛先であるかチェックし（ステップＳ９０１）、登録宛先であると、該宛先に対して、送信回数／宛先種別記憶部１０に、複数の宛先種別が登録されているかチェックする（ステップＳ９０２）。なお、ステップＳ９０１で、送信宛先が登録宛先でないときには、システム制御部２は、宛先種別の自動選択を行えないと判断して、通常の送信者による操作表示部３を利用した宛先種別の選択を伴う送信処理を行う。
【００６５】
ステップＳ９０２で、該送信宛先に対して複数の宛先種別が登録されていないときには、システム制御部２は、該送信宛先に対して登録されている宛先種別を送信先として指定して、該宛先種別にデータを送信する送信処理を行う（ステップＳ９０３）。ステップＳ９０２で、該送信宛先に対して複数の宛先種別が登録されているときには、送信回数／宛先種別記憶部１０の該送信宛先の該送信者に対して登録されている前回送信時の宛先種別を送信先として指定して、該送信先にデータを送信する送信処理を行う（ステップＳ９０４）。
【００６６】
そして、システム制御部２は、図１１に示すように、送信回数／宛先種別記憶部１０の該送信宛先に対する送信者毎の宛先種別登録処理を行う。すなわち、システム制御部２は、送信宛先の宛先種別に対して送信を行うと（ステップＳ１００１）、該送信宛先に対する宛先種別を送信者毎に登録する（ステップＳ１００２）。
【００６７】
このようにすると、複数の宛先種別を備えている送信宛先に対して、送信元の送信者がよく利用して送信宛先の宛先種別として前回送信した宛先種別を自動的に選択することができ、送信者の意図する宛先種別に簡単かつ容易にデータ送信を行って、利用性を向上させることができる。
【００６８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００６９】
本発明は、複数の通信種別で送信可能な宛先への宛先種別を適切に決定して送信するファクシミリ装置、コンピュータ、複合装置等の通信装置、通信制御方法、通信制御プログラム及び記録媒体に利用することができる。
【図面の簡単な説明】
【００７０】
【図１】本発明の第１実施例の複合装置の要部ブロック構成図。
【図２】過去送信回数に基づく宛先種別選択送信制御処理を示すフローチャート。
【図３】送信回数カウンタ更新処理を示すフローチャート。
【図４】送信者毎の過去送信回数に基づく宛先種別選択送信制御処理を示すフローチャート。
【図５】送信者毎の送信回数カウンタ更新処理を示すフローチャート。
【図６】本発明の第２実施例による優先度に基づく宛先種別選択送信制御処理を示すフローチャート。
【図７】送信者毎の優先度に基づく宛先種別選択送信制御処理を示すフローチャート。
【図８】本発明の第３実施例による前回送信宛先種別に基づく宛先種別選択送信制御処理を示すフローチャート。
【図９】送信毎の宛先種別登録処理を示すフローチャート。
【図１０】送信者毎の前回送信宛先種別に基づく宛先種別選択送信制御処理を示すフローチャート。
【図１１】送信者毎の宛先種別登録処理を示すフローチャート。
【符号の説明】
【００７１】
１  複合装置
２  システム制御部
３  操作表示部
４  符号化・復号化部
５  プロッタ
６  スキャナ
７  ネットワーク制御部
８  網制御部
９  モデム
１０  送信回数／宛先種別記憶部
１１  システムバス
【図１】
2010068255.tif 000003
【図２】
2010068255.tif 000004
【図３】
2010068255.tif 000005
【図４】
2010068255.tif 000006
【図５】
2010068255.tif 000007
【図６】
2010068255.tif 000008
【図７】
2010068255.tif 000009
【図８】
2010068255.tif 000010
【図９】
2010068255.tif 000011
【図１０】
2010068255.tif 000012
【図１１】
2010068255.tif 000013